(57)【要約】  電子会議装置及びその制御方法、そしてデジタルペンが提供される。本電子会議装置は、第２手書き部を介して紙に手書きを入力する間、第１手書き部を介してデジタルペンのタッチ地点を検知するセンサと、検知されたタッチ地点に基づいて手書き情報を生成する制御部と、手書き情報を伝送する通信部とを含む。
2017535851.tif 000002
【特許請求の範囲】
【請求項１】
電子会議装置において、
第２手書き部を介して紙に手書きを入力する間、第１手書き部を介してデジタルペンのタッチ地点を検知するセンサと、
前記検知されたタッチ地点に基づいて手書き情報を生成する制御部と、
前記手書き情報を伝送する通信部と
を含む電子会議装置。
【請求項２】
前記センサは、
電磁界共鳴方式（ＥＭＲ：Ｅｌｅｃｔｒｏｍａｇｎｅｔｉｃ  ｒｅｓｏｎａｎｃｅ）に基づいて前記タッチ地点を検知することを特徴とする請求項１に記載の電子会議装置。
【請求項３】
前記電子会議装置は、前記センサを含む複数のセンサを含み、
前記複数のセンサそれぞれはＩＤ情報を有し、
前記制御部は、
前記センサのＩＤ情報及び前記検知されたタッチ地点を基に手書き情報を生成することを特徴とする請求項１に記載の電子会議装置。
【請求項４】
ディスプレイ機能に対応するボタン、Ｅメール送信機能に対応するボタン、保存機能に対応するボタン、個人伝送機能に対応するボタン、削除機能に対応するボタンのうち、少なくとも１つを含む入力部を更に含むことを特徴とする請求項１に記載の電子会議装置。
【請求項５】
前記制御部は、
前記ディスプレイ機能に対応するボタンが選択されると、前記手書き情報を外部のディスプレイ装置に伝送するように前記通信部を制御することを特徴とする請求項４に記載の電子会議装置。
【請求項６】
前記ディスプレイ装置は、
前記センサのＩＤ情報を基に前記手書き情報をディスプレイすることを特徴とする請求項５に記載の電子会議装置。
【請求項７】
前記制御部は、
前記Ｅメール送信機能に対応するボタンが選択されると、前記手書き情報をＥメールで伝送するように前記通信部を制御することを特徴とする請求項４に記載の電子会議装置。
【請求項８】
保存部を更に含み、
前記制御部は、
前記保存機能に対応するボタンが選択されると、前記手書き情報を前記保存部に保存することを特徴とする請求項４に記載の電子会議装置。
【請求項９】
前記制御部は、
前記個人伝送機能に対応するボタンが選択されると、前記手書き情報を端末に伝送するように前記通信部を制御することを特徴とする請求項４に記載の電子会議装置。
【請求項１０】
前記制御部は、
前記削除機能に対応するボタンが選択されると、前記手書き情報を削除することを特徴とする請求項４に記載の電子会議装置。
【請求項１１】
モーションを検知するモーションセンサを更に含み、
前記制御部は、
前記モーションセンサによって紙をめくるモーションが検知された時点まで作成された手書き情報を保存し、前記第１手書き部を介して前記センサによって検知された前記デジタルペンの新たなタッチ地点を基に新たな手書き情報を生成することを特徴とする請求項１に記載の電子会議装置。
【請求項１２】
紙に付着されたＮＦＣモジュールから前記紙に対する情報を受信するＮＦＣ部を更に含み、
前記制御部は、
前記手書き情報と前記受信された紙に対する情報とを併せて保存することを特徴とする請求項１に記載の電子会議装置。
【請求項１３】
前記デジタルペンのユーザを認証するユーザ認証部を更に含み、
前記制御部は、
前記手書き情報と前記認証されたユーザに対する情報とを併せて保存することを特徴とする請求項１に記載の電子会議装置。
【請求項１４】
前記手書き情報は、前記検知されたタッチ地点の座標、ユーザ情報及び前記センサのＩＤ情報のうち、少なくとも１つを含むことを特徴とする請求項１に記載の電子会議装置。
【請求項１５】
電子会議装置の制御方法において、
第２手書き部を介して紙にインクで手書きを入力する間、第１手書き部を介してデジタルペンのタッチ地点を検知するステップと、
前記検知されたタッチ地点に基づいて手書き情報を生成するステップと、
前記手書き情報を伝送するステップ
とを含む制御方法。
【発明の詳細な説明】
【技術分野】
【０００１】
本発明は、電子会議装置及びその制御方法、およびデジタルペンに関する。
【背景技術】
【０００２】
ユーザ端末装置にタッチ入力のための多様な方法がある。例えば、ユーザ端末装置は、人の手を用いたタッチ入力を検知したり、デジタルペンを用いたタッチ入力を検知することができる。
【０００３】
デジタルペンを用いたタッチ入力の場合、デジタルペンがタッチした領域を検知する技術が開発しているが、従来の鉛筆やペンのように実際のペン入力が与える自然さを提供することができないという問題があった。
【０００４】
一方、従来の電子会議システムの場合、少なくとも１つのユーザ端末装置（例えば、ノートパソコン、タブレットなど）を用いて入力された手書き（Ｈａｎｄｗｒｉｔｉｎｇ）情報を１つのディスプレイ装置を介して相互確認しながら会議を行った。
【０００５】
しかし、少なくとも１つのユーザ端末装置を用いて会議を行う場合、会議を行う度にユーザ端末装置を接続しなければならないという不都合があった。
【０００６】
よって、実際のペン入力に近い自然さを提供するデジタルペンを用いて電子会議を行うことができるシステム構築が必要となる。
【発明の概要】
【発明が解決しようとする課題】
【０００７】
そこで、本発明は、上記問題に鑑みてなされたものであり、本発明の目的とするところは、ユーザが実際に紙に手書きを行う間に検知された手書き情報を用いて複数のユーザが会議を行うことができる電子会議装置及びその制御方法、そしてデジタルペンを提供することにある。
【課題を解決するための手段】
【０００８】
一実施形態に係る電子会議装置は、第２手書き部を介して紙に手書きを入力する間、第１手書き部を介してデジタルペンのタッチ地点を検知するセンサと、前記検知されたタッチ地点に基づいて手書き情報を生成する制御部と、前記手書き情報を伝送する通信部とを含む。
【０００９】
前記センサは、電磁界共鳴方式（ＥＭＲ：Ｅｌｅｃｔｒｏｍａｇｎｅｔｉｃ  ｒｅｓｏｎａｎｃｅ）に基づいて前記タッチ地点を検知してよい。
【００１０】
前記電子会議装置は、前記センサを含む複数のセンサを含み、前記複数のセンサそれぞれはＩＤ情報を有し、前記制御部は、前記センサのＩＤ情報及び前記検知されたタッチ地点を基に手書き情報を生成してよい。
【００１１】
前記電子会議装置は、ディスプレイ機能に対応するボタン、Ｅメール送信機能に対応するボタン、保存機能に対応するボタン、個人伝送機能に対応するボタン、削除機能に対応するボタンのうち、少なくとも１つを含む入力部を更に含んでよい。
【００１２】
前記制御部は、前記ディスプレイ機能に対応するボタンが選択されると、前記手書き情報を外部のディスプレイ装置に伝送するように前記通信部を制御してよい。
【００１３】
前記ディスプレイ装置は、前記センサのＩＤ情報を基に前記手書き情報をディスプレイしてよい。
【００１４】
前記制御部は、前記Ｅメール送信機能に対応するボタンが選択されると、前記手書き情報をＥメールで伝送するように前記通信部を制御してよい。
【００１５】
前記電子会議装置は保存部を更に含み、前記制御部は、前記保存機能に対応するボタンが選択されると、前記手書き情報を前記保存部に保存してよい。
【００１６】
前記制御部は、前記個人伝送機能に対応するボタンが選択されると、前記手書き情報を端末に伝送するように前記通信部を制御してよい。
【００１７】
前記制御部は、前記削除機能に対応するボタンが選択されると、前記手書き情報を削除してよい。
【００１８】
前記電子会議装置は、モーションを検知するモーションセンサを更に含み、前記制御部は、前記モーションセンサによって紙をめくるモーションが検知された時点まで作成された手書き情報を保存し、前記第１手書き部を介して前記センサによって検知された前記デジタルペンの新たなタッチ地点を基に新たな手書き情報を生成してよい。
【００１９】
前記電子会議装置は、紙に付着されたＮＦＣモジュールから前記紙に対する情報を受信するＮＦＣ部を更に含んでよく、前記制御部は、前記手書き情報と前記受信された紙に対する情報とを併せて保存してよい。
【００２０】
前記電子会議装置は、前記デジタルペンのユーザを認証するユーザ認証部を更に含み、前記制御部は、前記手書き情報と前記認証されたユーザに対する情報とを併せて保存してよい。
【００２１】
前記手書き情報は、前記検知されたタッチ地点の座標、ユーザ情報及び前記センサのＩＤ情報のうち、少なくとも１つを含んでよい。
【００２２】
一実施形態に係る電子会議装置の制御方法は、第２手書き部を介して紙にインクで手書きを入力する間、第１手書き部を介してデジタルペンのタッチ地点を検知するステップと、前記検知されたタッチ地点に基づいて手書き情報を生成するステップと、前記手書き情報を伝送するステップとを含む。
【００２３】
前記検知するステップは、電磁界共鳴方式（ＥＭＲ：Ｅｌｅｃｔｒｏｍａｇｎｅｔｉｃ  ｒｅｓｏｎａｎｃｅ）に基づいて前記タッチ地点を検知するステップを含んでよい。
【００２４】
前記制御方法は、前記デジタルペンのユーザを認証するステップと、前記手書き情報と前記認証されたユーザに対する情報とを併せて保存するステップとを更に含んでよい。
【００２５】
一実施形態に係るデジタルペンは、第１手書き部と、電磁界共鳴方式に基づいて手書き情報を入力する第２手書き部と、前記第１手書き部を介して紙に手書きが入力されることを検知する感圧センサと、前記第１手書き部を介して紙に手書きが入力されることを検知する場合、前記第２手書き部を活性化させる制御部とを含む。
【００２６】
前記第２手書き部は、共振回路を含み、前記制御部は、前記第１手書き部を介して紙に手書きが入力されることが検知される場合、前記共振回路を活性化させてよい。
【００２７】
一実施形態に係る電子会議装置は、デジタルペンで紙に手書きが入力される間、前記デジタルペンによって生成される磁場に基づいて前記デジタルペンの手書きを検知するセンサと、前記検知された手書きに基づいて手書き情報を生成し、入力に基づいて前記手書き情報をプロセスする制御部とを含む。
【００２８】
前記手書き情報は、手書き及び前記センサの識別情報を含んでよい。
【００２９】
前記制御部は、外部ディスプレイ装置、Ｅメール、端末のうち、少なくとも１つに前記入力に基づいて前記手書き情報を伝送してよい。
【図面の簡単な説明】
【００３０】
【図１】本発明の一実施形態に係る電子会議システムを示す図である。
【図２】本発明の一実施形態に係る電子会議システムの構成を概略に示すブロック図である。
【図３】本発明の一実施形態に係る電子会議システムの構成を詳細に示すブロック図である。
【図４】本発明の一実施形態に係るデジタルペンの構成を示す図である。
【図５】本発明の一実施形態に係る複数のボタンを備える入力部を示す図である。
【図６Ａ】本発明の一実施形態に係るユーザによって入力された手書き情報を外部のディスプレイ装置にディスプレイする実施形態を説明するための図である。
【図６Ｂ】本発明の一実施形態に係るユーザによって入力された手書き情報を外部のディスプレイ装置にディスプレイする実施形態を説明するための図である。
【図６Ｃ】本発明の一実施形態に係るユーザによって入力された手書き情報を外部のディスプレイ装置にディスプレイする実施形態を説明するための図である。
【図６Ｄ】本発明の一実施形態に係るユーザによって入力された手書き情報を外部のディスプレイ装置にディスプレイする実施形態を説明するための図である。
【図７】本発明の一実施形態に係る電子会議システムの制御方法を説明するためのフローチャートである。
【発明を実施するための形態】
【００３１】
以下に添付図面を参照しながら、本発明の好適な実施形態について詳細に説明する。以下の説明において、類似する図面符号は別の図面でも類似する構成に対して使用される。明細書で定義されたもの、例えば、具体的な構造及び構成は、実施形態の理解を促すために提供されるものである。しかし、このように具体的に定義されたものがなくても実施形態は実施されてよい。なお、不要な詳細説明で明細書を不明瞭とすることがあるため、公知の機能や構造は具体的に記述されない。
【００３２】
本明細書で使用される「含む」または「構成される」などの用語は、明細書上に記載された特徴または構成要素が存在することを指定するためのものであって、１つまたはそれ以上の別の特徴や構成要素の存在または付加可能性を予め排除しないものと理解されるべきである。なお、本明細書で使用される「モジュール」或いは「部」のような用語は、少なくとも１つの機能や動作を行い、ハードウェアまたはソフトウェアで実現したり、ハードウェアとソフトウェアとの組み合わせで実現されてよい。
【００３３】
図１は、本発明の一実施形態に係る電子会議システム１０を示す図である。図１に示すように、電子会議システム１０は、電子会議装置１００及びデジタルペン１１０を含むデジタルペンを含む。
【００３４】
デジタルペン１１０は、インク（または、黒鉛）を用いて紙に手書き情報を直接入力することができる第１手書き部及びタッチセンシングを通じて電子会議装置１００に手書き情報を入力することができる第２手書き部を含む。
【００３５】
電子会議装置１００は、デジタルペン１１０の第２手書き部を介してタッチセンシングを行うことができるセンサを含む。このとき、センサは、電磁界共鳴方式を用いて、第２手書き部を介して入力されたタッチ地点を検知することができる。
【００３６】
電子会議装置１００は、図１に示すように、机型で実現されてよい。このとき、電子会議装置１００のセンサ上に紙が位置した状態で、ユーザがデジタルペン１１０を用いて手書きを行う場合、デジタルペン１１０の第１手書き部はインクで紙に直接手書き情報を入力することができる。なお、デジタルペン１１０の第１手書き部を介して紙にインクで直接手書き情報を入力する間、電子会議装置１００のセンサは第２手書き部を介して入力されたタッチ地点を検知する。電子会議装置１００は、第２手書き部を介して入力されたタッチ地点を基に手書き情報を生成することができる。
【００３７】
そして、電子会議装置１００は、ユーザ命令に応じて生成された手書き情報を外部に伝送するか、保存及び／または削除することができる。電子会議装置１００は、図１に示すように、外部のディスプレイ装置５０（例えば、電子黒板など）に手書き情報を伝送してディスプレイ装置５０が手書き情報をディスプレイできるようにする。なお、電子会議装置１００は、手書き情報を予め設定されたＥメールで伝送したり、予め設定された別のユーザの端末に伝送することができる。
【００３８】
電子会議装置１００には、複数のセンサが備えられてよい。すなわち、電子装置１００は、ユーザごとに異なるセンサを介して手書き情報を入力することができる。複数のユーザが複数のセンサを用いて手書き情報を入力する場合、電子会議装置１００はセンサに対応する固有のＩＤ情報を手書き情報に併せて保存することができる。よって、外部のディスプレイ装置５０が手書き情報をディスプレイする場合、ディスプレイ装置５０はＩＤ情報を基にユーザごとに手書き情報を異なるようにディスプレイすることができる。例えば、ディスプレイ装置５０は、ユーザごとに色、透明度、明暗などを相違に設定して手書き情報をディスプレイすることができる。
【００３９】
電子会議装置１００は、図１に示すように、机型で実現されてよいが、それは一実施形態に過ぎず、壁に付着されるボート型または壁の内部に備えられてよい。
【００４０】
図２は、一実施形態に係る電子会議システム１０の構成を示すブロック図である。図２に示すように、電子会議システム１０は、デジタルペン１１０と、センサ１２０と、制御部１３０及び通信部１４０を含む。センサ１２０と、制御部１３０及び通信部１４０は、電子会議装置１００に含まれてよい。
【００４１】
デジタルペン１１０は、インクを用いて手書き情報を入力する第１手書き部及びタッチセンシングを用いて手書き情報を入力する第２手書き部を含む。デジタルペン１１０は、第１手書き部を用いて紙に手書き情報を入力することを検知する検知センサを備え、感圧センサを通じてユーザ第１手書き部を用いて紙に手書き情報を入力することを検知する場合、第２手書き部を活性化してセンサ１２０がタッチ入力を検知できるようにする。
【００４２】
センサ１２０は、デジタルペン１１０の第２手書き部を介してタッチ入力を検知する。センサ１２０は、デジタルペン１１０が直接接触しなくても、タッチ入力を検知することができるように電磁界共鳴方式を用いてデジタルペン１１０を用いたタッチ入力を検知することができる。具体的に、センサ１２０は、デジタルペン１１０の第２手書き部から誘導磁界が発生すると、発生した誘導磁界が検知された座標値を獲得することができる。
【００４３】
センサ１２０が、複数個のセンサを含んでよい。
【００４４】
通信部１４０は、外部の多様な装置と通信を行うことができる。例えば、通信部１４０は、外部のディスプレイ装置（例えば、電子黒板）、外部のユーザ端末、外部のＥメールサーバなどと通信を行うことができる。
【００４５】
制御部１３０は、電子会議システム１００の動作を制御する。制御部１３０は、センサ１２０によって検知されたタッチ地点を用いて手書き情報を生成する。このとき、手書き情報には、センサ１２０によって検知されたタッチ地点に対する座標値情報、ユーザ情報及びセンサ１２０のＩＤ情報のうち、少なくとも１つを含んでよい。
【００４６】
制御部１３０は、ユーザ命令に応じて手書き情報を用いてディスプレイ機能、Ｅメール送信機能、保存機能、個人伝送機能、削除機能のうち、少なくとも１つを行ってよい。
【００４７】
例えば、ディスプレイ機能に対応するユーザ命令が入力されると、制御部１３０は手書き情報を外部のディスプレイ装置５０に伝送するように通信部１４０を制御することができる。更に別の実施形態によると、Ｅメール送信機能に対応するユーザ命令が入力されると、制御部１３０は手書き情報を予め設定されたＥメールアカウント（例えば、本人メールアカウント）に伝送するように通信部１４０を制御することができる。更に別の実施形態によると、保存機能に対応するボタンが選択されるユーザ命令が入力されると、制御部１３０は、手書き情報を電子会議装置１００に保存することができる。更に別の実施形態によると、個人伝送機能に対応するユーザ命令が入力されると、制御部１３０は手書き情報を予め設定された個人の端末に伝送するように通信部１４０を制御することができる。なお、削除機能に対応するボタンが選択されるユーザ命令が入力されると、制御部１３０は手書き情報を削除することができる。
【００４８】
上述のように、制御部１３０は、ユーザによって入力された手書き情報に対する多様な機能を提供することができる。
【００４９】
図３は、一実施形態に係る電子会議システム１０の構成を詳細に示すブロック図である。図３に示すように、電子会議システム１０は、デジタルペン３１０、センサ３２０、通信部３３０、入力部３４０、保存部３５０、ＮＦＣ部３６０、モーションセンサ３７０、ユーザ認証部３８０及び制御部３９０を含む。センサ３２０、通信部３３０、入力部３４０、保存部３５０、ＮＦＣ部３６０、モーションセンサ３７０、ユーザ認証部３８０及び制御部３９０は、電子会議装置１００に含まれてよい。
【００５０】
デジタルペン３１０は、インクを用いて紙に直接手書きを入力すると同時にタッチセンシングを用いて電子会議装置１００に手書き情報を入力することがきる。デジタルペン３１０に対しては、図４を参照して詳細に説明する。図４は、一実施形態に係るデジタルペン３１０の構成を説明するための図である。デジタルペン３１０は、第１手書き部３１１、第２手書き部３１３、感圧センサ３１５及び制御部３１７を含む。
【００５１】
第１手書き部３１１は、インクまたは黒鉛を用いて紙に直接手書きで書くことができる。第１手書き部３１１がインクを用いて手書きを行う場合、ペン先部分にインクボールを含み、ペン胴体部分にインク芯を含んでよい。
【００５２】
第２手書き部３１３は、デジタルペン３１０が直接センサ３２０に接触しなくてもタッチ入力を検知することができるように電磁界共振方式を用いて電子会議装置１００に手書き情報を入力する。具体的に、デジタルペン３１０が紙に手書き情報を入力する間、センサ３２０に接触することができないため、第２手書き部３１３は非接触方式の電磁界共振方式を用いてよい。
【００５３】
第２手書き部３１３は、誘導磁界を発生するための共振回路を含む。具体的に、感圧センサ３１５によってユーザが第１手書き部３１１を介して紙に手書き情報を入力することを検知する場合、第２手書き部３１３は共振回路に電流を印加して誘導磁界を発生することができる。更に別の実施形態では、第２手書き部３１３は、センサ３２０に含まれたループコイルによって発生する誘導磁界を通じて電流を発生させて誘導電流を発生することができる。一方、一実施形態では、図４に示すように、共振回路がデジタルペン３１０の胴体に配置されるものとして示しているが、それは一実施形態に過ぎず、デジタルペン３１０のペン先部分に配置されてよい。
【００５４】
感圧センサ３１５は、第１手書き部３１１を用いて紙に手書き情報を入力するか否かを検知する。感圧センサ３１５は、図４に示すように、デジタルペン３１０のペン先部分に配置されてよい。第１手書き部３１１がインクで実現される場合、感圧センサ３１５は、インクボールの感圧有無を基にユーザが第１手書き部３１１を用いて紙に手書き情報を入力するか否かを検知することができる。
【００５５】
感圧センサ３１５を介してユーザが第１手書き部３１１を用いて紙に手書き情報を入力したと判断された場合、制御部３１７は、第２手書き部３１３の共振回路を活性化することができる。すなわち、制御部３１７は、第２手書き部３１３に電流を印加して誘導磁界を発生するように制御することができる。
【００５６】
再び図３について説明すると、センサ３２０はデジタルペン３１０が紙に手書き情報を入力する間、デジタルペン３１０の第２手書き部３１３を介して入力されたタッチ入力を検知することができる。センサ３２０は、複数のループコイルが予め定められた第１方向及び第１方向と交差する第２方向にそれぞれ配置されてグリッド構造を有する電子誘導コイルセンサ（図示せず）と電子誘導コイルセンサの各ループコイルに順次に所定の周波数を有する交流信号を提供する電子信号処理部（図示せず）を含む。
【００５７】
例えば、ユーザが第１手書き部３１１を用いて紙に手書き情報を入力することを検知する場合、デジタルペン３１０は第２手書き部３１３の共振回路を活性化させて誘導磁界を発生させる。センサ３２０は、グリッド型で配置されたループコイルを介して発生された誘導磁界を検知することができる。そして、センサ３２０は、誘導磁界が検知されたループコイルの位置を検知してタッチ地点を検知することができる。
【００５８】
更に別の実施形態では、センサ３２０のループコイル近くに共振回路を内蔵するデジタルペン３１０が存在すると、ループコイルから送信される磁界がデジタルペン３１０内の共振回路に相互電子誘導に基づいた電流を発生させることができる。この電流を基とし、デジタルペン３１０内の共振回路を構成するコイルから誘導磁界が発生するようになり、センサ３２０は誘導磁界を信号受信状態にあるループコイルから検出するようになり、デジタルペン３１０のタッチ地点を検知するようになる。
【００５９】
センサ３２０を介しては、電子誘導に基づいた電流を発生させることができる物体なら、接近及びタッチの検知が可能であり、実施形態においてはデジタルペン３１０による接近またはタッチ検知専用に利用されるものとして説明する。
【００６０】
センサ３２０は、複数のセンサを含んでよい。複数のセンサそれぞれは固有のＩＤを有してよい。
【００６１】
通信部３３０は、多様な類型の通信方式によって多様な外部機器または外部のサーバと通信を行う構成である。例えば、通信部３３０は、Ｗｉ−Ｆｉチップ、ブルートゥース（登録商標、以下同じ）チップ、ＮＦＣチップ、無線通信チップなどのような多様な通信チップを含んでよい。このとき、Ｗｉ−Ｆｉチップ、ブルートゥースチップ、ＮＦＣチップはそれぞれＷｉ−Ｆｉ方式、ブルートゥース方式、ＮＦＣ方式で通信を行う。その中のＮＦＣチップは、例えば、１３５ｋＨｚ、１３．５６ＭＨｚ、４３３ＭＨｚ、８６０〜９６０ＭＨｚ、２．４５ＧＨｚなどのような多様なＲＦ−ＩＤ周波数帯域の中で１３．５６ＭＨｚ帯域を使用するＮＦＣ（Ｎｅａｒ  Ｆｉｅｌｄ  Ｃｏｍｍｕｎｉｃａｔｉｏｎ）方式で動作するチップを意味する。Ｗｉ−Ｆｉチップやブルートゥースチップを用いる場合には、例えばＳＳＤＩ及びセッションキーなどのような各種接続情報を先に送受信し、それを用いて通信接続した後、各種情報を送受信することができる。無線通信チップは、例えば、ＩＥＥＥ、Ｚｉｇｂｅｅ、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）などのような多様な通信規格によって通信を行うチップを意味する。
【００６２】
通信部３３０は、手書き情報を外部の多様な聞きに伝送することができる。具体的に、ディスプレイ機能を行う場合、通信部３３０は、手書き情報を外部の電子黒板５０に伝送することができる。個人伝送機能を行う場合、通信部３３０は手書き情報を予め設定されたユーザの端末装置に伝送することができる。
【００６３】
入力部３４０には、電子会議システム１０を制御するための多様なユーザ命令が入力される。入力部３４０には、手書き情報を用いた多様な機能を行うためのユーザ命令が入力されてよい。
【００６４】
一実施形態によると、入力部３４０は、図５に示すように、複数のボタン３４１ないし３４５を含んでよい。複数のボタンはディスプレイ機能に対応するボタン３４１、Ｅメール送信機能に対応するボタン３４２、保存機能に対応するボタン３４３、個人伝送機能に対応するボタン３４４及び削除機能に対応するボタン３４５を含んでよい。
【００６５】
上述の実施形態においては、入力部３４０が複数のボタン３４１ないし３４５を含むものとして説明したが、それは一実施形態に過ぎず、入力部は例えば、タッチセンサ、音声入力部、モーション入力部を含んでよい。すなわち、入力部３４０は、センサ３２０と異なる別途のタッチセンサを介して入力されたタッチ入力、音声入力部を介して入力されたユーザ音声、モーションセンサ３７０を介して入力されたユーザモーションなどを用いて電子会議システム１０の多様な機能を行うことができる。
【００６６】
図３を参照すると、保存部３５０は電子会議システム１０を制御するための多様なモジュールを保存する。例えば、保存部３５０には、ベースモジュール、センシングモジュール、通信モジュール、サービスモジュールを含むソフトウェアが保存されてよい。このとき、ベースモジュールは電子会議システム１０に含まれた各ハードウェアから伝達される信号を処理して上位レイヤモジュールに伝達する基礎モジュールである。センシングモジュールは、各種センサから情報を収集し、収集された情報を分析及び管理するモジュールとして、例えば、顔認識モジュール、音声認識モジュール、モーション認識モジュール、ＮＦＣ認識などを含んでよい。通信モジュールは、外部と通信を行うためのモジュールである。サービスモジュールは、多様なサービスを提供するための各種アプリケーションを含むモジュールである。
【００６７】
保存部３５０は、デジタルペン３１０によって入力された手書き情報を保存することができる。このとき、手書き情報は、デジタルペン３１０によって入力された手書き内容だけでなく、ユーザ情報、センサに対する情報を含んでよい。
【００６８】
ＮＦＣ部３６０は、紙に付着されたＮＦＣモジュールを介して紙に対する情報を受信する。ＮＦＣ部３６０は、紙のＩＤ情報、大きさ情報を受信することができる。そして、制御部３９０は、ＮＦＣ部３６０から受信された紙のＩＤ情報及び紙の大きさ情報を手書き情報とともに保存することができる。それにより、紙のＩＤ情報に通じて紙のユーザを確認することができ、紙の大きさ情報によってディスプレイ大きさも判断することができる。
【００６９】
モーションセンサ３７０は、ユーザモーションを検知する。モーションセンサ３７０は、ユーザが紙をめくるモーションを検知することができる。モーションセンサ３７０は、特定機能を行うためのユーザモーションを検知することができる。例えば、モーションセンサ３７０を介してディスプレイ装置５０を示すユーザモーションが検知された場合、制御部３９０は手書き情報をディスプレイ装置５０に伝送するように通信部３３０を制御することができる。
【００７０】
ユーザ認証部３８０は、ユーザを認証する構成である。ユーザ認証部３８０は、紙のユーザを多様な方法で認証することができる。例えば、ユーザ認証部３８０は指紋認識、虹彩認識、音声認識などのような多様な認識方法を通じてユーザを認証することができる。
【００７１】
制御部３９０は、電子会議システム１０の動作を制御する。
【００７２】
制御部３９０は、センサ３２０によって検知されたタッチ地点を用いて手書き情報を生成する。より具体的に、制御部３９０は、例えば、センサ３２０によって検知されたタッチ地点の座標値を用いて生成された手書き内容、センサ３２０のＩＤ情報及びユーザ情報などを用いて手書き情報を生成することができる。そして、制御部３９０は、生成された手書き情報を用いて多様な機能を行うことができる。
【００７３】
制御部３９０は、手書き情報を外部のディスプレイ装置５０に伝送して外部のディスプレイ装置５０が手書き情報をディスプレイすることを提供することができる。
【００７４】
図６Ａないし図６Ｄは、一実施形態によって外部ディスプレイ装置５０でユーザによって入力された手書き情報が表示される例示を示すものである。具体的に、図６Ａに示すように、第１ユーザが第１センサ６００−１に手書きを行った場合、制御部３９０はセンサ３２０を介して検知された手書き内容及び第１センサ６００−１のＩＤ情報を基に第１手書き情報を生成する。そして、入力部３４０のうち、ディスプレイ機能に対応する図５のボタン３４１が選択された場合、制御部３９０は第１手書き情報を外部のディスプレイ装置５０に伝送するように通信部３４０を制御することができる。
【００７５】
図６Ｂに示すように、ディスプレイ装置５０が第１手書き情報を受信した場合、ディスプレイ装置５０は第１手書き情報を第１色でディスプレイすることができる。そして、図６Ｃに示すように、第２ユーザが第２センサ６００−２に手書きを行った場合、制御部３９０はセンサ３２０を介して検知された手書き内容及び第２センサ６００−２のＩＤ情報を基に第２手書き情報を生成する。そして、入力部３４０のうち、ディスプレイ機能に対応する図５のボタン３４１が再び選択された場合、制御部３９０は第２手書き情報を外部のディスプレイ装置５０に伝送するように通信部３４０を制御することができる。
【００７６】
ディスプレイ装置５０が第２手書き情報を受信した場合、ディスプレイ装置５０は図６Ｄに示すように、第２手書き情報を第１手書き情報と異なる第２色でディスプレイしてよい。
【００７７】
図３を参照すると、制御部２９０は手書き情報にディスプレイ装置５０がディスプレイする手書き内容の大きさ情報を含んでよい。このとき、制御部２９０は、ユーザが紙に手書きした内容と同一の大きさズでディスプレイ装置５０がディスプレイするように大きさ情報を設定することができるが、それは一実施形態に過ぎず、ユーザが紙に手書きした内容と異なる大きさでディスプレイ装置５０がディスプレイするように大きさ情報を設定することができる。このとき、制御部２９０は、ユーザの入力によって手動で手書き内容の大きさ情報を設定することができ、ディスプレイ装置５０の大きさ情報を基に自動で手書き内容の大きさ情報を設定することができる。
【００７８】
一方、上述の実施形態では、手書きが入力された後、ディスプレイ機能に対応する図５のボタン３４１が選択された後に手書き情報が伝送されるものとして説明したが、それは一実施形態に過ぎず、手書き情報を作成すると同時にディスプレイ装置５０に伝送してリアルタイムでユーザの作成した手書き情報を確認することができる。
【００７９】
なお、入力部３４０のうち、Ｅメール送信機能に対応する図５のボタン３４２が選択された場合、制御部３９０は生成された手書き情報を予め設定されたＥメールに伝送するように通信部３４０を制御することができる。具体的に、第１ユーザで認証して手書きを作成する場合、手書きを作成する途中、入力部３４０のうちＥメール送信機能に対応するボタン３４２が選択されると、制御部３９０は認証された第１ユーザの情報のうちＥメール情報を抽出し、抽出されたＥメールアカウントのサーバで手書き情報を伝送するように通信部３４０を制御することができる。
【００８０】
なお、入力部３４０のうち、保存機能に対応する図５のボタン３４３が選択された場合、制御部３９０は手書き情報を保存部３５０に保存することができる。例えば、制御部３９０は、手書き内容だけでなく、ユーザ情報及び保存時点などに対する多様な情報を併せて保存することができる。
【００８１】
なお、入力部３４０のうち、個人伝送機能に対応する図５のボタン３４４が選択された場合、制御部３９０は手書き情報を予め設定された個人の端末に伝送するように通信部３４０を制御することができる。具体的に、電子会議システム１０に少なくとも１つの個人端末（例えば、ノートパソコン、タブレットパソコンなど）が接続された場合、入力部３４０に含まれたボタンの間でユーザが伝送しようとする個人端末に対応するボタンを選択するユーザ命令が入力されると、制御部３９０はボタンに対応する個人端末に手書き情報を伝送するように通信部３４０を制御することができる。このとき、手書き情報を受信した個人端末は手書き情報が受信されたことをガイドするメッセージとともに手書き情報をディスプレイすることができる。
【００８２】
なお、入力部３４０のうち、削除機能に対応する図５のボタン３４５が選択されるユーザ命令が入力されると、制御部３９０は現在まで作成された手書き情報を削除することができる。
【００８３】
なお、モーションセンサ３７０によってユーザが紙をめくるモーションが検知された場合、制御部３９０はユーザが紙をめくるモーションが検知された時点まで作成された手書き情報を保存部３５０に保存することができる。そして、第２手書き部３１３を介してデジタルペン３１０のタッチ地点が再び検知された場合、制御部３９０はセンサ３２０によって検知された新たなタッチ地点を基に新たな手書き情報を生成することができる。すなわち、ユーザが紙をめくるモーションは、新たな手書き情報を新たな保存領域に保存せよという命令として認識されたり、新たなディスプレイ領域に新たな手書き情報を表示せよという命令として認識されてよい。
【００８４】
なお、ＮＦＣ部３６０を介して紙に対する情報が受信された場合、制御部３９０はＮＦＣ部３６０から受信された紙に対する情報を手書き情報に併せて保存することができる。なお、制御部３９０は、手書き情報にユーザ認証部３８０から認証されたユーザに対する情報を併せて保存することができる。
【００８５】
上述のような電子会議システム１０によって、ユーザはデジタルペン３１０を用いて実際に紙に手書きを作成すると同時に外部の会議参加者と自分の手書き内容を共有することができるようになる。よって、電子会議システム１０を介して更に便利且つ直観的な会議ができるようになる。
【００８６】
図７は、一実施形態に係る電子会議システム１０の制御方法を説明するための図である。
【００８７】
電子会議システム１０は、デジタルペン１１０の第１手書き部を用いてインクで手書き情報を入力する間、デジタルペン１１０の第２手書き部を介してデジタルペン１１０のタッチ地点を検知する（Ｓ７１０）。すなわち、ユーザは、デジタルペン１１０を用いて直接手書きを作成すると同時に電子会議システム１０に手書き内容をデジタル化して入力することができる。
【００８８】
そして、電子会議システム１０は、タッチ地点を用いて手書き情報を生成する（Ｓ７２０）。例えば、手書き情報にはユーザによって作成された手書き内容だけでなく、ユーザ情報、センサ１２０のＩＤ情報などが含まれてよい。
【００８９】
そして、電子会議システム１０は、生成された手書き情報を外部に伝送する（Ｓ７３０）。例えば、電子会議システム１０は、ユーザ命令に応じて生成された手書き情報を外部のディスプレイ装置に伝送して手書き情報をディスプレイしたり、外部の個人端末またはＥメールサーバに伝送することができる。
【００９０】
上述の実施形態では、デジタルペン１１０を用いて紙全領域のうちの任意の領域に手書きを行った場合、手書き情報をデジタル化して多様なサービスを提供するものとして説明したが、それは一実施形態に過ぎず、紙全領域のうちの第１領域に手書きを行った場合、手書き情報をデジタル化し、第１領域ではない第２領域には第１手書きのみを用いて手書きを行うことができるようにすることができる。すなわち、紙の第１領域のみが電子手書きが可能であり、第１領域とは異なる第２領域にはインク手書きができるようにユーザが設定することができる。
【００９１】
上述のように、本発明の多様な実施形態によると、自然且つ直観的な手書き検知が電子会議システムを用いて会議が行われる間、ユーザに提供されてよい。なお、ユーザによって入力される手書き情報を用いて多様な機能が提供され、会議時間の間に入力される手書き情報をより簡単に管理することができるようになる。
【００９２】
なお、実施形態は、媒体、すなわち、非一時的なコンピュータ読み取り可能な媒体、コンピュータ読み取り可能なコード及び／またはプログラムで実現されて上述の実施形態を実現するための少なくとも１つの処理構成を制御することができる。前記媒体は、ストレッジで機能したり、コンピュータ読み取り可能なコードの伝達を行う如何なる媒体またはメディアにも対応されてよい。
【００９３】
上記コンピュータ読み取り可能コードは、多様な方式で媒体上に記録されたり、伝達されてよく、前記媒体の例には、磁気保存メディア（ｍａｇｎｅｔｉｃ  ｓｔｏｒａｇｅ  ｍｅｄｉａ）（例えば、ＲＯＭ、フロッピディスク、ハードディスクなど）及び光学記録メディア（例えば、読み取り専用ＣＤ（ＣＤ−ＲＯＭ）またはＤＶＤ）及びインターネット伝送メディア（ｉｎｔｅｒｎｅｔ  ｔｒａｎｓｍｉｓｓｉｏｎ  ｍｅｄｉａ）のようなものが含まれる。よって、前記媒体は１つ以上の実施形態によってビットストリームを伝達するデバイスのように信号または情報を保存または伝達下に適した構造を有してよい。前記媒体は、また分散ネットワーク（ｄｉｓｔｒｉｂｕｔｅｄ  ｎｅｔｗｏｒｋ）上にあることで、分散方式で前記コンピュータ読み取り可能なコードが前記媒体上に保存及び／または運搬されて実行される。更に、前記プロセッシング構成は、プロセッサまたはコンピュータプロセッサを含み、前記プロセッシング構成は、単一デバイス内に含まれたり分配されてよい。
【００９４】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００９５】
１０  電子会議システム
５０  ディスプレイ装置
１００  電子会議装置
１１０  デジタルペン
１２０  センサ
１３０  制御部
１４０  通信部
３１０  デジタルペン
３１１  手書き部
３１３  手書き部
３１５  感圧センサ
３１７  制御部
３２０  センサ
３３０  通信部
３４０  入力部
３４１〜３４５  ボタン
３４２  ボタン
３５０  保存部
３５０  保存部
３７０  モーションセンサ
３８０  ユーザ認証部
３９０  制御部
６００−１  センサ
６００−２  センサ
【図１】
2017535851.tif 000003
【図２】
2017535851.tif 000004
【図３】
2017535851.tif 000005
【図４】
2017535851.tif 000006
【図５】
2017535851.tif 000007
【図６ａ】
2017535851.tif 000008
【図６ｂ】
2017535851.tif 000009
【図６ｃ】
2017535851.tif 000010
【図６ｄ】
2017535851.tif 000011
【図７】
2017535851.tif 000012
【国際調査報告】
2017535851.tif 000013
2017535851.tif 000014